(57)【特許請求の範囲】
【請求項１】
プリント基板上に設けられたインダクタンスと、このインダクタンスに並列接続されたキャパシタンスとで構成されたフィルタにおいて、前記インダクタンスは、前記プリント基板と平行に装着された第１の空芯コイルと前記プリント基板に対して垂直に設けられた第２の空芯コイルの直列接続体で構成されるとともに、前記キャパシタンスには固定コンデンサを用い、前記第１の空芯コイルはインダクタンス値の調整を可能としたフィルタ。
【請求項２】
第１の空芯コイルと第２の空芯コイルのインダクタンス比は略３対７とした請求項１に記載のフィルタ。
【請求項３】
高周波信号が入力される入力端子と、この入力端子に入力された信号が供給される高周波増幅回路と、この高周波増幅回路の出力が一方の入力に接続されるとともに他方の入力には第１の局部発振回路の出力が接続された混合回路と、この混合回路の出力に接続されるとともに中間周波数を通過させる請求項２に記載のフィルタと、このフィルタに接続された中間周波増幅回路と、この中間周波増幅回路の出力が一方の入力に接続されるとともに他方の入力には中間周波数と略等しい周波数を発振させる第２の局部発振回路の出力が接続された復調回路と、この復調回路の出力が供給される出力端子とを備えた高周波装置。
【請求項４】
金属製の筐体内に収納されるとともにフィルタと第２の局部発振回路との間に金属製の仕切板が設けられた請求項３に記載の高周波装置。
【発明の詳細な説明】
【０００１】
【発明の属する技術分野】
本発明は、周波数調整が可能なフィルタと、このフィルタを用いた高周波装置に関するものである。
【０００２】
【従来の技術】
以下、従来のフィルタについて説明する。従来のフィルタは図８に示すように、端子１と端子２との間にインダクタンス３とキャパシタンス４とを並列に接続していた。そして、このコンデンサ４はチップ部品を用い、インダクタンス３は空芯コイル３ａを用いていた。この空芯コイル３ａは一つの部品で構成され、そのインダクタンス値を可変して通過周波数を調整していた。すなわち、空芯コイル３ａを割ることにより周波数調整を行っていた。
【０００３】
【発明が解決しようとする課題】
しかしながらこのような従来の構成では、空芯コイル３ａは、一つの部品であるため、この空芯コイル３ａを割るとインダクタンス３の変化が大きすぎ、微調整は難しかった。また、調整後の空芯コイル３ａは弾性を有する線材であるため、この弾性により生ずるスプリングバックで調整値の変化も調整を難しくする要因の一つであった。
【０００４】
この発明は、このような問題を解決するもので、正確に調整できるとともに調整値変化の少ないフィルタを提供することを目的としたものである。
【０００５】
【課題を解決するための手段】
この目的を達成するために本発明は、プリント基板上に設けられたインダクタンスと、このインダクタンスに並列接続されたキャパシタンスとで構成されたフィルタにおいて、前記インダクタンスは、前記プリント基板と平行に装着された第１の空芯コイルと前記プリント基板に対して垂直に設けられた第２の空芯コイルの直列接続体で構成されるとともに、前記キャパシタンスには固定コンデンサを用い、前記第１の空芯コイルはインダクタンス値の調整を可能としたものである。
【０００６】
これにより、正確に調整できるとともに調整値変化の少ないフィルタが得られる。
【０００７】
【発明の実施の形態】
以下、本発明の実施の形態について、図面に基づいて説明する。
【０００８】
（実施の形態１）
本実施の形態１におけるフィルタは、図１に示すように、端子１１と端子１２との間に、固定コンデンサ（キャパシタンスの一例として用いた）１３と並列に空芯コイル（固定インダクタンスの一例として用いた、なお、これはプリントパターンで形成してもよい）１４と空芯コイル（可変インダクタンスの一例として用いた）１５の直列接続体が接続されている。
【０００９】
このように、インダクタンスを空芯コイル１４と１５とに分割し、インダクタンスの調整は空芯コイル１５のみで行うので、調整範囲が少なくなる代わりに微調整が可能となる。また、空芯コイルの変化幅が小さいので調整時や経時変化によるスプリングバックは少なくなる。更に、空芯コイルを使うことにより、パターンインダクタンスを形成することに比べて、大きなＱが得られるとともに低価格化も実現できる。
【００１０】
また、二つの空芯コイル１４と１５とは図２に示すように互いに直角に配置することが重要である。このようにお互いに直角に配置することにより、磁束による影響がなくなる。
【００１１】
更に、図３に示すように、プリント基板１６上に調整用の空芯コイル１５を平行に配置するとともに、固定空芯コイル１４をプリント基板１６に対して垂直に設けることにより、実装上での小型化が図れる。また、空芯コイル１４を垂直に設けることにより、理由ははっきりしないが他の回路へ悪影響を与えることがない。これは、空芯コイル１４の磁束がプリント基板１６と直角に交差するため影響が少ないと思われる。これに対して、空芯コイル１５のようにプリント基板１６と平行に配置すると、磁束がプリント基板１６の表面を走り、他の回路に磁束の影響を与えるものと思われる。
【００１２】
（実施の形態２）
図４は、実施の形態２における本発明のフィルタを用いた高周波装置のブロック図である。図４において、本実施の形態２による高周波装置は、高周波信号が入力される入力端子２１と、この入力端子２１に入力された信号が供給される高周波増幅回路２２と、この高周波増幅回路２２の出力が一方の入力に接続されるとともに他方の入力には局部発振回路２３の出力が接続された混合回路２４と、この混合回路２４の出力に接続されるとともに中間周波数を通過させるフィルタ２５と、このフィルタ２５に接続された中間周波増幅回路２６と、この中間周波増幅回路２６の出力が一方の入力に接続されるとともに他方の入力には中間周波数と略等しい周波数を発振させる局部発振回路２７の出力が接続された復調回路２８と、この復調回路２８の出力が接続された出力端子２９とで構成されたものである。そして、このフィルタ２５は実施の形態１で説明したフィルタを用いている。
【００１３】
このような高周波装置において、実施の形態１のフィルタ２５を用いることにより、このフィルタ２５は調整可能であるので、中間周波数を局部発振回路２７の周波数に合わせることができる。また、このフィルタ２５の略７割を占める空芯コイル１４はプリント基板１６に対して垂直に設けられているので、この空芯コイル１４は局部発振回路２７に干渉して磁束による悪影響を与えることは少なくなる。従って、この高周波装置におけるＮＦが改善される。
【００１４】
また、図５は、実施の形態２における高周波装置の実装を示している。本実施の形態２における高周波装置は、図４に示す回路がプリント基板３０（実施の形態１のプリント基板１６と同様の働きをする）上に実装されて、金属製の筐体３１内に装着されている。そして、フィルタ２５を構成する空芯コイル１４と１５が金属製の仕切板３２を介して一方の区画室３３に設けられるとともに他方の区画室３４には局部発振回路２７とこの局部発振回路２７を構成する高周波トランス３５が立設されている。このように、仕切板３２によってフィルタ２５と局部発振回路２７との干渉を更に低減させているので、更にＮＦが改善される。
【００１５】
（実施の形態３）
図６は、実施の形態３におけるフィルタの回路図である。図６において、本実施の形態３におけるフィルタは、プリント基板上に直列接続して形成された空芯コイル４１（固定インダクタンスの一例として用いた）と調整可能な空芯コイル４２の直列接続体４３と、この直列接続体４３の両端に接続されたコンデンサ４４と、直列接続体４３の空芯コイル４１と空芯コイル４２の接続点４５とグランドとの間に接続されたコンデンサ４６とから成り、コンデンサ４４と直列接続体４３とで予め定められた第１の周波数を通過させるパンドパスフィルタを形成している。また、直列接続体４３の空芯コイル４１とコンデンサ４６とで予め定められた第２の周波数を除去するトラップフィルタを形成している。なお、直列接続体４３の両端は夫々フィルタの端子として、端子４７、端子４８に接続されている。このフィルタは、空芯コイル４１と空芯コイル４２とのインダクタンス比は略２対８としている。空芯コイル４１は略９５ナノヘンリー、空芯コイル４２は略７６０ナノヘンリーであり、コンデンサ４４は略９ピコファラットとしており、４５．７５ＭHzのバンドパスフィルタを形成している。また、コンデンサ４６には略１２ピコファラットを用いて隣接下チャンネルの音声周波数４１．２５ＭHzを除去するトラップフィルタを実現している。
【００１６】
このように、バンドパスフィルタは調整可能な空芯コイル４２を有しているので、第１の周波数（４５．７５ＭHz）を通過させるように調整することができる。また、調整可能な空芯コイル４２は全体のインダクタンスの一部であるので、調整範囲は少なくなる代わりに微調整が可能となり、正確な調整ができる。更に、調整可能な空芯コイル４２のインダクタンスは全体のインダクタンスに比べて少なくなるので、たとえ空芯コイル４２に弾性があったとしてもスプリングバックによる調整変化は少なくなり、調整は容易となる。更にまた、バンドパスフィルタで使用する空芯コイル４１を共用して第２の周波数（４１．２５ＭHz）を除去するトラップフィルタを形成することができるので、小型、低価格、軽量化が実現できる。
【００１７】
なお、空芯コイル４１と空芯コイル４２の配置は実施の形態１と同様にすることにより、実施の形態１と同様の効果が得られる。すなわち、空芯コイル４１と空芯コイル４２とを互いに直角に配置するとともに、空芯コイル４１はプリント基板と垂直に装着する。空芯コイル４２は調整するためプリント基板と平行に装着する。
【００１８】
（実施の形態４）
図７は、実施の形態４における本発明のフィルタを用いた高周波装置のブロック図である。図７において、本実施の形態４における高周波装置は、高周波信号が入力される入力端子５１と、この入力端子５１に入力された信号が供給される高周波増幅回路５２と、この高周波増幅回路５２の出力が接続された同調回路５３と、この同調回路５３の出力が一方の入力に接続されるとともに他方の入力には局部発振回路５４の出力が接続された混合回路５５と、この混合回路５５の出力に接続されるとともに中間周波数を通過させる実施の形態３に記載のフィルタ５６と、このフィルタ５６に接続された中間周波増幅回路５７と、この中間周波増幅回路５７の出力が接続された出力端子５８とを備えた構成と成っている。そして、前記フィルタ５６は混合回路５５から出力される中間周波数（４５．７５ＭHz）を通過させるとともに隣接下チャンネルの音声信号（４１．２５ＭHz）を除去するようになっている。このように、フィルタ５６は調整可能であるので、中間周波数を調整することができる。また、トラップフィルタにより、隣接下チャンネルの音声信号を除去することができる。
【００１９】
なお、実施の形態３のフィルタは、実施の形態２で説明した高周波装置にも使用することができる。すなわち、その構成は、高周波信号が入力される入力端子と、この入力端子に入力された信号が供給される高周波増幅回路と、この高周波増幅回路の出力が一方の入力に接続されるとともに他方の入力には第１の局部発振回路の出力が接続された混合回路と、この混合回路の出力に接続されるとともに中間周波数を通過させる実施の形態３に記載のフィルタと、このフィルタに接続された中間周波増幅回路と、この中間周波増幅回路の出力が一方の入力に接続されるとともに他方の入力には中間周波数と略等しい周波数を発振させる第２の局部発振回路の出力が接続された復調回路と、この復調回路の出力が接続された出力端子とを備え、前記フィルタは前記混合回路から出力される中間周波数を通過させるとともに隣接下チャンネルの音声信号を除去するように設けたものである。従って、このフィルタは調整可能であり、中間周波数を第２の局部発振回路の周波数に合わせることができる。また、このフィルタの略２割を占める第２の空芯コイルはプリント基板に対して垂直に設けられているので、第２の局部発振回路に干渉して磁束による悪影響を与えることは少なくなり、ＮＦが改善される。更に、トラップフィルタにより、隣接下チャンネルの音声信号を除去することができる。
【００２０】
【発明の効果】
以上のように本発明のフィルタは、プリント基板上に設けられたインダクタンスと、このインダクタンスに並列接続されたキャパシタンスとで構成されたフィルタにおいて、前記インダクタンスは、前記プリント基板と平行に装着された第１の空芯コイルと前記プリント基板に対して垂直に設けられた第２の空芯コイルの直列接続体で構成されるとともに、前記キャパシタンスには固定コンデンサを用い、前記第１の空芯コイルはインダクタンス値の調整を可能としたフィルタであり、調整可能な第１の空芯コイルは全体のインダクタンスの一部であるので、調整範囲は少なくなるが、微調整が可能となり、正確な調整ができる。また、調整可能な第１の空芯コイルのインダクタンスは全体のインダクタンスに比べて少なくなるので、例え第１の空芯コイルに弾性があったとしてもスプリングバックによる調整値変化は少なくなり、調整は容易となる。
【００２１】
また、第１の空芯コイルは、プリント基板と平行に装着されているので、容易に第１のコイルを割って調整することができる。また、第２の空芯コイルはプリント基板に対して垂直に設けられているので、他の回路に対して磁束による悪影響を与えない。
【００２２】
また、第２の空芯コイルを垂直に設けることにより、小型化を図ることができる。
【００２３】
更に、インダクタンスは全て空芯コイルで形成されているので、パターンで形成されたインダクタンスと比べてＱを高くすることができる。
【図面の簡単な説明】
【図１】本発明の実施の形態１におけるフィルタの回路図
【図２】同、フィルタを構成する空芯コイルの配置図
【図３】同、他の例によるフィルタを構成する空芯コイルの配置図
【図４】本発明の実施の形態２における実施の形態１のフィルタを用いた高周波装置のブロック図
【図５】同、配置図
【図６】本発明の実施の形態３におけるフィルタの回路図
【図７】本発明の実施の形態４における実施の形態３のフィルタを用いた高周波装置のブロック図
【図８】従来のフィルタの回路図
【符号の説明】
１１  端子
１２  端子
１３  コンデンサ
１４  空芯コイル
１５  空芯コイル
１６  プリント基板
【図１】
0003612959.tif 000002
【図２】
0003612959.tif 000003
【図３】
0003612959.tif 000004
【図４】
0003612959.tif 000005
【図５】
0003612959.tif 000006
【図６】
0003612959.tif 000007
【図７】
0003612959.tif 000008
【図８】
0003612959.tif 000009